【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
複数のチャネルを介して無線通信を行う基地局装置および端末局装置と、前記基地局装置と前記端末局装置との通信を中継する中継局装置とを含む通信システムにおける基地局装置であって、
前記中継局装置を経由して自基地局装置と通信を行う前記各端末局装置がそれぞれ送信したチャネルの受信状態を表す受信状態情報を、前記各中継局装置が中継して自基地局装置へ送信するための第１の無線リソースのチャネル割り当てである中継局割り当てを決定する中継局割り当て部と、
前記各中継局装置に割り当てた前記第１の無線リソースの容量内で前記各端末局装置がそれぞれ前記中継局装置へ前記受信状態情報を送信するための第２の無線リソースのチャネル割り当てである端末局割り当てと前記受信状態情報の方式とを決定する端末局割り当て部と、
前記端末局割り当ての結果を表す端末局割り当て情報と前記中継局割り当ての結果を表す中継局割り当て情報とを含む情報を、前記各端末局装置および前記各中継局装置へ向けて送信する無線送信部と、
を備えることを特徴とする基地局装置。
【請求項２】
さらに前記中継局割り当て部は、前記各中継局装置と自基地局装置との間の伝搬路状態、または前記各中継局装置が中継を担当する前記端末局装置の数に基づいて、前記各中継局装置が自基地局装置へ送信する前記第１の無線リソースにおいて使用する変調方式または符号化率を決定することを特徴とする請求項１記載の基地局装置。
【請求項３】
さらに前記中継局割り当て部は、前記各中継局装置と自基地局装置との間の伝搬路状態、または前記各中継局装置が中継を担当する端末局装置の数に基づいて、前記各中継局装置が自基地局装置へ送信する前記第１の無線リソースにおいて使用するＭＩＭＯのストリーム数を決定することを特徴とする請求項１記載の基地局装置。
【請求項４】
さらに前記端末局割り当て部は、前記中継局割り当て情報に基づいて、それぞれ異なる前記中継局装置に受信状態情報を送信する複数の前記端末局装置に対する、前記第２の無線リソースの同じチャネルへの割り当てが最少となるように前記端末局割り当てを決定することを特徴とする請求項１記載の基地局装置。
【請求項５】
さらに前記端末局割り当て部は、前記中継局割り当て情報に基づいて、前記各端末局装置が前記受信状態情報を前記各中継局装置へ送信するための前記第２の無線リソースにおけるチャネルの位置、またはチャネル数を決定することを特徴とする請求項１記載の基地局装置。
【請求項６】
さらに前記端末局割り当て部は、前記中継局割り当て情報に基づいて、前記各端末局装置の前記受信状態情報の方式の、受信状態を通知するチャネルの選択数をそれぞれ決定することを特徴とする請求項１記載の基地局装置。
【請求項７】
さらに前記端末局割り当て部は、前記中継局割り当て情報に基づいて、前記各端末局装置の前記受信状態情報の方式の、情報の圧縮率をそれぞれ決定することを特徴とする請求項１記載の基地局装置。
【請求項８】
さらに前記端末局割り当て部は、前記中継局割り当て情報に基づいて、前記各端末局装置の前記受信状態情報の方式の、受信状態を表すビット数をそれぞれ決定することを特徴とする請求項１記載の基地局装置。
【請求項９】
複数のチャネルを介して無線通信を行う基地局装置および端末局装置と、前記基地局装置と前記端末局装置との通信を中継する中継局装置とを含む通信システムにおける基地局装置であって、
前記中継局装置を経由して自基地局装置と通信を行う前記各端末局装置がそれぞれ送信したチャネルの受信状態を表す受信状態情報を、前記各中継局装置が中継して自基地局装置へ送信するための第１の無線リソースのチャネル割り当てを表す中継局割り当て情報と、
前記各中継局装置に割り当てた前記第１の無線リソースの容量内で前記各端末局装置がそれぞれ前記中継局装置へ前記受信状態情報を送信するための第２の無線リソースのチャネル割り当てを表す端末局割り当て情報とを、
前記各端末局装置および前記各中継局装置へ向けて送信する無線送信部を備えることを特徴とする基地局装置。
【請求項１０】
複数のチャネルを介して無線通信を行う基地局装置および端末局装置と、前記基地局装置と前記端末局装置との通信を中継する中継局装置とを含む通信システムにおける中継局装置であって、
前記基地局装置が送信した、前記中継局装置を経由して前記基地局装置と通信を行う前記各端末局装置がチャネルの受信状態を表す受信状態情報をそれぞれ前記中継局装置へ送信するための、第２の無線リソースのチャネル割り当てを表す端末局割り当て情報と、前記中継局装置が前記各端末局装置から送信された前記受信状態情報を中継して前記基地局装置へ送信する第１の無線リソースのチャネル割り当てを表す中継局割り当て情報とを含む情報を受信する第１の無線受信部と、
受信した前記端末局割り当て情報と前記中継局割り当て情報とを記憶する割り当て情報記憶部と、
前記割り当て情報記憶部に記憶された前記端末局割り当て情報に基づいて、前記端末局装置のうち自中継局装置を経由して前記基地局装置と通信を行う前記各端末局装置が送信した受信状態情報を受信する第２の無線受信部と、
前記割り当て情報記憶部に記憶された前記中継局割り当て情報に基づいて、受信した各前記受信状態情報を前記基地局装置へ送信する無線送信部と、
を備えることを特徴とする中継局装置。
【請求項１１】
さらに、前記割り当て情報記憶部に記憶された前記中継局割り当て情報に基づいて、受信した前記各受信状態情報を再構成する再構成部を備え、
前記無線送信部は、前記再構成部において再構成された前記受信状態情報を前記基地局装置へ送信することを特徴とする請求項１０記載の中継局装置。
【請求項１２】
前記再構成部は、受信した前記各受信状態情報を結合することを特徴とする請求項１１記載の中継局装置。
【請求項１３】
前記再構成部は、受信した前記各受信状態情報の量子化ビット数を削減して前記各受信状態情報を再構成することを特徴とする請求項１１記載の中継局装置。
【請求項１４】
前記再構成部は、受信した前記各受信状態情報に含まれる複数のチャネルに関する受信状態のうち一部のチャネルに関する受信状態を選択して前記各受信状態情報を再構成することを特徴とする請求項１１記載の中継局装置。
【請求項１５】
さらに、前記割り当て情報記憶部に記憶された前記中継局割り当て情報に基づく変調方式によって、前記無線送信部が前記基地局装置へ送信する前記受信状態情報を変調する変調部を備えることを特徴とする請求項１１記載の中継局装置。
【請求項１６】
さらに、前記割り当て情報記憶部に記憶された前記中継局割り当て情報に基づく符号化率によって、前記無線送信部が前記基地局装置へ送信する前記受信状態情報を誤り訂正符号化する符号化部を備えることを特徴とする請求項１１記載の中継局装置。
【請求項１７】
複数のチャネルを介して無線通信を行う基地局装置および端末局装置と、前記基地局装置と前記端末局装置との通信を中継する中継局装置とを含む通信システムであって、
前記基地局装置は、
前記中継局装置を経由して自基地局装置と通信を行う前記各端末局装置がそれぞれ送信したチャネルの受信状態を表す受信状態情報を、前記各中継局装置が中継して自基地局装置へ送信するための第１の無線リソースのチャネル割り当てである中継局割り当てを決定し、
前記中継局割り当て結果に基づいて、前記各端末局装置がそれぞれ前記中継局装置へ前記受信状態情報を送信するための第２の無線リソースのチャネル割り当てである端末局割り当てと前記受信状態情報の方式とを決定することを特徴とする通信システム。
【手続補正２】
【補正対象書類名】明細書
【補正対象項目名】０００６
【補正方法】変更
【補正の内容】
【０００６】
本発明の基地局装置は、前記中継局装置を経由して自基地局装置と通信を行う前記各端末局装置がそれぞれ送信したチャネルの受信状態を表す受信状態情報を、前記各中継局装置が中継して自基地局装置へ送信するための第１の無線リソースのチャネル割り当てである中継局割り当てを決定する中継局割り当て部と、前記各中継局装置に割り当てた前記第１の無線リソースの容量内で前記各端末局装置がそれぞれ前記中継局装置へ前記受信状態情報を送信するための第２の無線リソースのチャネル割り当てである端末局割り当てと前記受信状態情報の方式とを決定する端末局割り当て部と、前記端末局割り当ての結果を表す端末局割り当て情報と前記中継局割り当ての結果を表す中継局割り当て情報とを含む情報を、前記各端末局装置および前記各中継局装置へ向けて送信する無線送信部と、を備えることを特徴とする。
【手続補正３】
【補正対象書類名】明細書
【補正対象項目名】０００８
【補正方法】変更
【補正の内容】
【０００８】
本発明の通信システムは、前記基地局装置は、前記中継局装置を経由して自基地局装置と通信を行う前記各端末局装置がそれぞれ送信したチャネルの受信状態を表す受信状態情報を、前記各中継局装置が中継して自基地局装置へ送信するための第１の無線リソースのチャネル割り当てである中継局割り当てを決定し、前記中継局割り当て結果に基づいて、前記各端末局装置がそれぞれ前記中継局装置へ前記受信状態情報を送信するための第２の無線リソースのチャネル割り当てである端末局割り当てと前記受信状態情報の方式とを決定することを特徴とする。